(57)【要約】【課題】硬質の素材により形成されたコネクタカバーにより制御基板への不正アクセスを防止するとともに、ハーネスの意図しない引っ張りによるハーネス側コネクタの脱抜を防ぎ、さらに所定の操作によりハーネス側コネクタの脱抜を可能にする。【解決手段】硬質の素材により形成されたコネクタカバー７０３の四面の一側壁となる左側側壁７２１には、ハーネス側コネクタ６１３の操作部６４３を収容可能な切欠部７２７を設けている。前記コネクタカバー７０３における開口７９１の外周には、板状に形成され、前記ハーネス側コネクタ６１３の嵌合部６２１が基板側コネクタ５６３と嵌合した状態で電源ボックス５１１のコネクタ露出口５５３の縁に板面で密着するフランジ部７２５、７２６、７５５を形成している。【選択図】図６
2008229168.tif 000002
【特許請求の範囲】
【請求項１】
基板側コネクタと電子部品とを有し、外部へ所定の信号を出力する制御基板と、
前記制御基板を収容するとともに、前記基板側コネクタを外部に露出させるコネクタ露出口が形成された基板ボックスと、
前記基板ボックスの外側に配置された電気部品に一端が接続するハーネスと、
先端側に前記基板側コネクタと嵌合する嵌合部を有し、基端側に前記ハーネスの他端が接続され、前記基板側コネクタと前記ハーネスを電気的に接続するハーネス側コネクタと、
前記ハーネスが挿通する貫通孔が形成された平面部と四面の側壁を有して一面が開口し、この開口から前記ハーネス側コネクタの前記嵌合部を突出させた状態で前記ハーネス側コネクタの基端側を覆うとともに固定するコネクタカバーと、
を備える遊技機であって、
前記ハーネス側コネクタの周囲の一側壁には、前記基板側コネクタとの接続を解除するための操作部が設けられており、
前記コネクタカバーの四面の一側壁には、前記ハーネス側コネクタの前記操作部を収容可能な切欠部を設け、
板状に形成され、前記ハーネス側コネクタの前記嵌合部が前記基板側コネクタと嵌合した状態で前記基板ボックスの前記コネクタ露出口の縁に板面で密着するフランジ部を前記コネクタカバーにおける前記開口の外周に形成したことを特徴とする遊技機。
【請求項２】
前記コネクタカバーは、前記平面部の貫通孔から前記開口に亘る一対の分割線に沿って一方及び他方に半体に分割された状態で形成され、当該一方及び他方の半体にはカシメにより互いに嵌合するカシメ嵌合部が設けられていることを特徴とする請求項１に記載の遊技機。
【発明の詳細な説明】
【技術分野】
【０００１】
本発明は、電源ボックスに収納した電源基板と接続するハーネス側コネクタをコネクタカバーで覆った遊技機に関する。
【背景技術】
【０００２】
従来、遊技機の一例としてのスロットマシンが存在している。スロットマシンは、前面が開口する箱状に形成された本体と、本体の前面開口を開閉自在とする前面扉とから構成されている。本体内には、外周に複数種類の図柄が配列されたリール、貯留されたメダルを払出すためのメダル払出装置、電源基板が内蔵された電源ユニット、その他各種装置や基板等が配設されている（例えば特許文献１参照）。
【０００３】
前記電源ユニットは、電源基板を収納する電源ボックスにコネクタ露出口を形成し、このコネクタ露出口から電源基板側のコネクタを露出させ、このコネクタにスロットマシンの各種構成要素と接続したハーネスのコネクタを接続することで、ハーネスを介してメダル払出装置等の各種装置に電力を供給するようにしている。
【０００４】
しかしながら従来の電源ユニットを用いたスロットマシンでは、不正を行う者が、電源ボックスのコネクタ露出口におけるコネクタ以外の部分から不正器具を挿入し、その先端を電源基板の配線面の配線部分に接触させ、制御基板やホッパ装置に誤動作を起こさせて、不正にメダルを払い出させる等の不正行為が行われる可能性が高かった。このような不正行為は電源基板に限らず主制御基板等、外部へ所定の信号を出力する制御基板についても同様である。このことに対応して、特許文献２には、コネクタカバーの開放端となる拡径端部が収容ケースに形成した開口部を取り囲んだ状態で収容ケースの外面に当接することで、基板収容ケースのコネクタ挿通開口部とコネクタ間に存在する隙間を外部に露出させず、回路基板への不正アクセスを防止する技術が記載されている。さらに、特許文献２には、コネクタカバーにより回路基板（制御基板）への不正アクセスを防止するとともに、ケーブル（ハーネス）を偶然に引っかける等の意図しない引っ張りによる配線コネクタ（ハーネス側コネクタ）の脱抜を防ぎ、さらに所定の操作により配線コネクタの脱抜を可能にするため、コネクタカバーの前記拡径端部の周縁に係止突起部を設け、配線コネクタを基板コネクタに嵌合接続するとき、前記係止突起部が、収容ケースに形成した開口部とコネクタ周辺との間に生じる間隙に嵌入して配線コネクタの抜け止めが図られる配線接続構造が記載されている。
【０００５】
【特許文献１】特開２００５−１２４８４９号公報
【特許文献２】特開２００６−１３０２２９号公報
【発明の開示】
【発明が解決しようとする課題】
【０００６】
しかしながら従来のコネクタカバーにより制御基板への不正アクセスを防止するとともに、ハーネスの意図しない引っ張りによるハーネス側コネクタの脱抜を防ぎ、さらに所定の操作によりハーネス側コネクタの脱抜を可能にする配線接続構造では、配線コネクタを脱抜する場合、作業者が手作業でコネクタカバーを変形させる必要があるため、コネクタカバーの素材として硬質のものは採用できなかった。
【０００７】
本発明は、こうした従来の問題に鑑みてなされたものであり、硬質の素材により形成されたコネクタカバーにより制御基板への不正アクセスを防止するとともに、ハーネスの意図しない引っ張りによるハーネス側コネクタの脱抜を防ぎ、さらに所定の操作によりハーネス側コネクタの脱抜が可能になる遊技機を提供することを目的としている。
【課題を解決するための手段】
【０００８】
上述した課題を解決するため、請求項１に記載の発明は、基板側コネクタと電子部品とを有し、外部へ所定の信号を出力する制御基板と、前記制御基板を収容するとともに、前記基板側コネクタを外部に露出させるコネクタ露出口が形成された基板ボックスと、前記基板ボックスの外側に配置された電気部品に一端が接続するハーネスと、先端側に前記基板側コネクタと嵌合する嵌合部を有し、基端側に前記ハーネスの他端が接続され、前記基板側コネクタと前記ハーネスを電気的に接続するハーネス側コネクタと、前記ハーネスが挿通する貫通孔が形成された平面部と四面の側壁を有して一面が開口し、この開口から前記ハーネス側コネクタの前記嵌合部を突出させた状態で前記ハーネス側コネクタの基端側を覆うとともに固定するコネクタカバーと、を備える遊技機であって、前記ハーネス側コネクタの周囲の一側壁には、前記基板側コネクタとの接続を解除するための操作部が設けられており、前記コネクタカバーの四面の一側壁には、前記ハーネス側コネクタの前記操作部を収容可能な切欠部を設け、板状に形成され、前記ハーネス側コネクタの前記嵌合部が前記基板側コネクタと嵌合した状態で前記基板ボックスの前記コネクタ露出口の縁に板面で密着するフランジ部を前記コネクタカバーにおける前記開口の外周に形成したことを特徴とする。
【０００９】
請求項２の遊技機は、請求項１に記載の遊技機であって、前記コネクタカバーは、前記平面部の貫通孔から前記開口に亘る一対の分割線に沿って一方及び他方に半体に分割された状態で形成され、当該一方及び他方の半体にはカシメにより互いに嵌合するカシメ嵌合部が設けられていることを特徴とする。
【００１０】
請求項１及び２に記載の遊技機によれば、前記コネクタカバーのフランジ部は、前記ハーネス側コネクタの前記嵌合部が前記基板側コネクタと嵌合した状態で前記電源ボックスの前記コネクタ露出口の縁に板面で密着して不正器具のコネクタ露出口への進入を防止するとともに、前記コネクタカバーの切欠部を介して前記ハーネス側コネクタの操作部を操作することで、前記コネクタカバーを変形させることなく前記ハーネス側コネクタと前記基板側コネクタとの接続を解除することができるので、硬質の素材により形成されたコネクタカバーにより制御基板への不正アクセスを防止するとともに、ハーネスの意図しない引っ張りによるハーネス側コネクタの脱抜を防ぎ、さらに所定の操作によりハーネス側コネクタの脱抜が可能になる。
【００１１】
請求項２に記載の遊技機によれば、一方及び他方の半体の間にハーネス側コネクタ及びハーネスを挟んだ状態で当該一方及び他方の半体をカシメにより嵌合することでハーネス側コネクタに前記コネクタカバーを容易に取り付けることが可能なだけではなく、カシメによってコネクタカバーが嵌合されているため簡単には取り外せないようになっており、制御基板に対する不正器具を用いた不正行為を防止することができる。
【発明の効果】
【００１２】
本発明の遊技機によれば、ハーネス側コネクタの嵌合部が基板側コネクタと嵌合した状態で、コネクタカバーのフランジ部が電源ボックスのコネクタ露出口の縁に板面で密着して不正器具の前記コネクタ露出口への進入を防止するとともに、前記コネクタカバーの切欠部を介して前記ハーネス側コネクタの操作部を操作することで、前記コネクタカバーを変形させることなく前記ハーネス側コネクタと前記基板側コネクタとの接続を解除することができるので、硬質の素材により形成されたコネクタカバーにより制御基板への不正アクセスを防止するとともに、ハーネスの意図しない引っ張りによるハーネス側コネクタの脱抜を防ぎ、さらに所定の操作によりハーネス側コネクタの脱抜が可能になるので、メンテナンスの際の作業性を低下させることなく制御基板に対する不正アクセスをより効果的に防止でき、不正行為による遊技施設の損失を防止し、遊技施設の経営状態を改善できる。
【発明を実施するための最良の形態】
【００１３】
以下、本発明に係る遊技機の好適な一実施形態をスロットマシンを例に図面を参照して説明する。なお、図１はスロットマシン１の外観構造を表した斜視図である。図２はスロットマシン１の外観構造を表した正面図である。図３は前扉３を開放した状態におけるスロットマシン１の内部構造を表した図である。図４はスロットマシン１の制御システムを表したブロック図である。
【００１４】
図１において、スロットマシン１は、前方に開口を有する略矩形状の箱体である外装筐体２と、当該外装筐体２に対して蝶番機構により回動可能に取り付けられることで前記開口を開閉可能な状態で閉塞させる前扉３とを備えている。
【００１５】
図１及び図２において、前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留するメダル受皿６ａが一体的に形成されたメダル受皿部６が設けられている。
【００１６】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及びメダル受皿部６は、遊技者側に面し、これらによって「前面パネル部」が構成される。
【００１７】
上部パネル部４の中央には、硬質プラスチック板等で形成されたパネル面４１が設けられている。パネル面４１のほぼ中央には略長方形の透明な表示窓４２が形成されている。スロットマシン１は、このような表示窓４２を通して外装筐体２内に設けられているリールユニット１００の３個のリール１０１ａ、１０１ｂ、１０１ｃが目視されるようになっている。
【００１８】
ここで、外装筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できる。
【００１９】
上部パネル部４の上部には、高輝度発光ダイオード等のランプ類を内蔵する演出用照明部４６と、ゲームに係る効果音を発生させるスピーカを内蔵する演出用放音部４８ａ、４８ｂが配置されている。
スロットマシン１は、ゲームの進行に応じて上述した演出用照明部４６等が点灯又は点滅することで、ゲームにおける視覚的な演出効果を高めるように形成されている。
【００２０】
また、演出用放音部４８ａ、４８ｂの間には、透明な硬質プラスチック板等が嵌め込まれて形成された表示窓４９ａに面して遊技機の演出装置として液晶表示装置４９が配置されている。なお、液晶表示装置４９は、ゲームの演出に係る映像やゲーム（遊技）に関する情報を主に表示する。
【００２１】
操作卓７の上面右側にはメダル投入部７１が設けられている。メダル投入部７１はメダルを投入するためのメダル投入口７２を有する。また、当該上面の左側には、押しボタンスイッチである２個のベットボタン７３、７４が設けられている。
【００２２】
ベットボタン７３、７４はスロットマシンの１ゲームに賭けるメダルの枚数を提示するためのボタンスイッチである。本スロットマシン１においては、ゲームを開始する際に、ベットボタン７３が押圧操作されることで、貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２３】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００２４】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００２５】
さらに、操作卓７の前面の左隅には、ゲームに賭けられたメダルをキャンセルして払い出させることを指示するとともに、後述するメダルクレジット手段２０３（図４参照）が内部貯留したメダルを精算して払い出させることを指示するための精算ボタン７７が設けられている。
【００２６】
操作卓７の前面右側には、前扉３を開錠するための鍵が挿入される鍵穴７８が設けられている。スロットマシン１の管理者等が鍵穴７８に所定の鍵を挿入して開錠操作すると、蝶番機構によって外装筐体２に取り付けられている前扉３を前方へ開くことができ、また前扉３を外装筐体２側に閉じると、自動的にこれらを施錠するようになっている。
【００２７】
下部パネル部５には、スロットマシン１のモデルタイプを遊技者へ認識させる等のため、登場キャラクターの絵などを表示する表示パネル５１が設けられている。
下部パネル部５の下側に配置されたメダル受皿部６には、入賞時にメダルを排出するメダル払出口６１と、払い出されたメダルを貯留するメダル受皿６ａと、演出効果音を発生させるスピーカを内蔵する左右の演出用放音部６２ａ、６２ｂとが配置されている。
【００２８】
次に、図３を参照して、外装筐体２の内部構造と前扉３の裏面構造とを説明する。
図３において、外装筐体２の前方には開口８を有している。この開口８内の上部には、左右のブラケット部材２５１、２５２を介して硬質プラスチックの基板ケース２５０に収納された主制御基板２０が取り付けられている。主制御基板２０は、スロットマシン１の全体動作を集中制御するＣＰＵ（マイコン）を備えている。
【００２９】
外装筐体２内の中央には、リール１０１ａ、１０１ｂ、１０１ｃを備えるリールユニット１００が設けられている。リールユニット１００は、前扉３が外装筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００３０】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００３１】
リールユニット１００の下方には、ホッパ装置２１と、ホッパ装置２１から溢れたメダルを収容するための補助貯留部２２と、電源ユニット２３が設けられている。電源ユニット２３の内部の右側には、いわゆる配電盤に相当する電源基板２４が設けられている。電源ユニット２３は、後述のハーネスを介してホッパ装置２１、電源ユニット２３及びサブ制御基板４０と電気的に接続する。更に、外装筐体２の上部右側の内壁に、遊技場に設置されている「ホールコンピュータ」と呼ばれる管理用コンピュータと接続可能な外部集中端子基板２５が取り付けられている。
【００３２】
次に、前扉３の裏面側上部には、発光駆動部３０が配置されている。発光駆動部３０は、演出用照明部４６の光源である高輝度の発光ダイオードが複数配列され、この発光ダイオードを発光駆動する駆動回路が実装されている。
【００３３】
また、前扉３の裏面側上部には、上述の演出用放音部４８ａ、４８ｂに対向してスピーカ３２ａ、３２ｂが取り付けられている。また、スピーカ３２ａ、３２ｂの間には、液晶表示装置４９が取り付けられている。更に、液晶表示装置４９の裏面側には、電気回路基板で形成され硬質プラスチックの基板ケース２６０に収納されたサブ制御基板４０が取り付けられている。
【００３４】
主制御基板２０及びサブ制御基板４０は、スロットマシン１の作動を制御する制御基板である。
サブ制御基板４０の下方には、リール１０１ａ、１０１ｂ、１０１ｃを目視させるための透明な表示窓４２が形成されたパネル板５０が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００３５】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００３６】
メダル選別装置３４の装置本体の下方には、メダル選別装置３４によって振り分けられた正規のメダルを外装筐体２内に設けられているホッパ装置２１へ案内するガイド部材３５と、メダル選別装置３４により排除されたメダル（又は異物）をメダル払出口６１へ案内するガイド部材３６が設けられている。また、前扉３の裏面側下部には、ホッパ装置２１から排出されたメダルをメダル払出口６１へ案内するガイド部材３７が設けられている。更に、メダル払出口６１に隣接して、上述した演出用放音部６２ａ、６２ｂに対向するスピーカ３８ａ、３８ｂが取り付けられている。
【００３７】
なお、スロットマシン１全体の動作は、外装筐体２側に設けられている主制御基板２０によって統括制御されており、サブ制御基板４０は、液晶表示装置４９による演出映像の表示制御、及び演出用放音部４８ａ、４８ｂ、６２ａ、６２ｂのスピーカ３２ａ、３２ｂ、３８ａ、３８ｂを使った演出効果音制御など、ゲームの演出に係る制御を主に行っている。
【００３８】
次に、図４のブロック図を参照して、スロットマシン１に設けられている制御システムについて説明する。
図４において、主制御基板２０は、ＣＰＵ２００と、記憶部２０１とを備えている。
記憶部２０１は、ＲＯＭ、ＲＡＭ等の半導体メモリによって構成され、スロットマシンゲーム用のシステムプログラム２０２が予め記憶されている。主制御基板２０は、記憶部２０１に記憶されたシステムプログラム２０２に従ってＣＰＵ２００が演算処理を実行することで、スロットマシン１全体の動作を統括制御している。
【００３９】
また、記憶部２０１にはメダルクレジット手段２０３が設けられている。メダルクレジット手段２０３はスロットマシン１が内部貯留するメダルの数であるクレジットをメモリに記憶する。
【００４０】
主制御基板２０には、ベットボタン７３、７４、スタートレバー７５、ストップボタン７６ａ、７６ｂ、７６ｃ、精算ボタン７７等の操作スイッチ類、メダル選別装置３４のメダルセンサ３４ａ、ホッパ装置２１等のメダル払出装置、及びサブ制御基板４０等がハーネスを介して接続されている。
【００４１】
主制御基板２０は、前記操作スイッチ類やメダル選別装置３４のメダルセンサ３４ａからの出力信号によりゲームに係る操作を検出する。
主制御基板２０は、動作モードがメダルベット待機状態となっている場合において、メダルセンサ３４ａがメダルを検出した場合、検出したメダルをゲームの賭数に加算する。
【００４２】
また、主制御基板２０は、動作モードがメダルクレジット入力待機状態となっている場合において、メダルセンサ３４ａがメダルを検出した場合、検出したメダルをメダルクレジット手段２０３のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段２０３の前記クレジット数が最大値（５０）になるまでの状態のことを示している。
【００４３】
主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
主制御基板２０は、入賞が確定した場合等において、ホッパ装置２１を制御することで、所定数のメダルをメダル受皿６ａに払い出す。
【００４４】
また、主制御基板２０は、精算ボタン７７が操作された場合、ゲームに賭けられたメダルをキャンセルしてホッパ装置２１に払い出させるとともに、メダルクレジット手段２０３（図４参照）が内部貯留したメダルを精算してホッパ装置２１に精算前のクレジット数のメダルを払い出させる。
【００４５】
サブ制御基板４０は、主制御基板２０からの制御信号に基づいて液晶表示装置４９（図１参照）、演出用照明部４６（図１参照）、演出用放音部４８ａ、４８ｂ、６２ａ、６２ｂ（図１参照）のスピーカ３２ａ、３２ｂ、３８ａ、３８ｂ等の演出装置２１０を制御駆動することで、遊技者の視覚や聴覚に訴える演出をゲームの進行に応じて行っている。
【００４６】
一方、主制御基板２０の記憶部２０１には、入賞抽選テーブル２０４が記憶されている。また、記憶部２０１には、内部当選した入賞役に対応するフラグを記憶する内部抽選フラグ記憶領域２０５が設定されている。主制御基板２０には、乱数値のデータを発生する乱数発生装置２０６がＣＰＵ２００に接続した状態で設けられている。例えばＣＰＵ２００は、スタートレバー７５の操作を検出した時点で乱数発生装置２０６から乱数値を取得し、入賞抽選テーブル２０４を参照することで、得られた乱数値に割り当てられた入賞役またはハズレを抽選する。そして、ＣＰＵ２００は、乱数値に対応する入賞役が存在すると、それを当該ゲームの入賞役として抽選結果を当選にし、記憶部２０１の内部抽選フラグ記憶領域２０５における当選した入賞役のフラグをオンにする。ここでは、かかる入賞役の抽選方法を「内部抽選」と呼んでいる。
【００４７】
次に、スロットマシン１におけるゲーム動作の概要を説明する。
スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が液晶表示装置４９等によって行われる。次に、遊技者がメダル投入部７１にメダルを投入し、もしくは、何れかのベットボタン７３、７４を押圧操作することで、スロットマシン１は、内部に貯留したメダル（クレジット）から当該ゲームに所定枚数のメダルが賭けられゲームを準備する。
【００４８】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０５に記憶される。
【００４９】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ２０５に対応する入賞役に係る図柄の組合せとが一致しているかどうか判定する。
【００５０】
これら図柄の組合せが一致し役への入賞が確定すると、スロットマシン１は、主制御基板２０によりメダルクレジット手段２０３の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルをメダル受皿６ａへ払い出す。
【００５１】
以下、図５乃至図１２を参照して電源ユニット２３及びこの周辺部について詳細に説明する。
【００５２】
図５は、電源ユニット２３の斜視図である。図６は、ハーネス側コネクタ６１３、基板側コネクタ５６３及びその周辺部の左斜め上から見た分解斜視図である。図７は、コネクタカバー７０３及びハーネス側コネクタ６１３の右斜め上から見た分解斜視図である。図８は、コネクタカバー７０３を取り付けたハーネス側コネクタ６１３の左斜め上から見た斜視図である。図９は、コネクタカバー７０３を取り付けたハーネス側コネクタ６１３の右斜め上から見た斜視図である。図１０は、コネクタカバー７０３を取り付けたハーネス側コネクタ６１３の上面図である。図１１は、コネクタカバー７０３を取り付けたハーネス側コネクタ６１３の底面図である。図１２は、基板側コネクタ５６３の上面図である。図１３は、ハーネス側コネクタ６１３、基板側コネクタ５６３及びその周辺部の左斜め上から見た斜視図である。図１４は、ハーネス側コネクタ６１３、基板側コネクタ５６３及びその周辺部の右側から見た側面図である。図１５は、図１４に示したハーネス側コネクタ６１３、基板側コネクタ５６３及びその周辺部のＡ−Ａ線断面図である。
図５において、電源ユニット２３は、電源ユニット本体５０１と、ねじりバネ５０２と、摘み部材５０３と、扉８４とから構成されている。
【００５３】
電源ユニット本体５０１は、箱形の電源ボックス５１１の内部に電源基板２４を収納し、電源ボックス５１１の前面部５１２に電源スイッチ８１、リセット釦８２、設定錠８３等を設けたものである。前面部５１２の左上コーナー及び左下のコーナーの若干内側には、扉８４の回動軸となる棒状部材５１３、５１４が設けられている。
【００５４】
扉８４は透明樹脂を板状に形成したものである。扉８４の左上コーナー及び左下のコーナーには、当該扉８４の回動軸となる棒状部材５１３、５１４にそれぞれ掛かるフック部５２１、５２２がそれぞれ形成されている。扉８４の右側中間部には、摘み部材５０３を取り付ける取付孔５２３が形成されている。摘み部材５０３の前部には、指で握られる円形部５３１が形成されている。摘み部材５０３の後部には、電源ボックス５１１の前面部５１２に形成された嵌合穴５１５と嵌合する嵌合部５３２が形成されている。扉８４と前面部５１２の間には、ねじりバネ５０２が設けられている。ねじりバネ５０２は、前面部５１２を閉塞する方向に扉８４を付勢している。
【００５５】
このような構造により、電源ユニット２３は、作業者が摘み部材５０３の円形部５３１を指で引くことで摘み部材５０３の嵌合部５３２が嵌合穴５１５から外れ、扉８４が棒状部材５１３、５１４を中心にして回動して開き、前面部５１２の電源スイッチ８１、リセット釦８２、設定錠８３等の操作部が操作可能となる。
【００５６】
また、電源ユニット２３は、扉８４が開いた状態で作業者が円形部５３１から指を離せば、ねじりバネ５０２の付勢により扉８４が閉まる方向に回動し、摘み部材５０３の嵌合部５３２が嵌合穴５１５に挿入して嵌合し、扉８４が閉まった状態で固定される。
【００５７】
一方、設定錠８３には設定キーが挿入される鍵穴５４１が形成されている。
電源ボックス５１１の上面部５１６には、第１乃至第３のコネクタ用開口部５５１、５５２、５５３及び複数の通気用スリット５５４、５５４…５５４が形成されている。
【００５８】
第１乃至第３のコネクタ用開口部５５１、５５２、５５３は、若干横長に形成された長四角形状で上面部５１６の右側前半に並べて形成されている。
一方、電源基板２４の部品実装面には、インバータ回路等を構成する電子部品及び第１乃至第３の基板側コネクタ５６１、５６２、５６３が実装されている。
【００５９】
更に詳しく説明すると、第１のコネクタ用開口部５５１は、第１の基板側コネクタ５６１を露出させるためのものであり、上面部５１６の右前側コーナーの近傍に設けられている。第１の基板側コネクタ５６１は、主制御基板２０（図４参照）に電気的に接続するハーネス６０１のハーネス側コネクタ６１１と結合する。
【００６０】
第２のコネクタ用開口部５５２は、第２の基板側コネクタ５６２を露出させるためのものであり、第１のコネクタ用開口部５５１の後側に設けられている。基板側コネクタ５６２は、サブ制御基板４０（図４参照）に電気的に接続するハーネス６０２のハーネス側コネクタ６１２と結合する。
【００６１】
第３のコネクタ用開口部５５３は、第３の基板側コネクタ５６３を露出させるためのものであり、第２のコネクタ用開口部５５２の後側に設けられている。基板側コネクタ５６３は、ホッパ装置２１（図４参照）に電気的に接続するハーネス６０３のハーネス側コネクタ６１３と結合する。
【００６２】
電源ユニット２３の電源基板２４は、第１の基板側コネクタ５６１及びハーネス６０１（図７参照）を介して主制御基板２０（図４参照）に、各種電力を供給するとともにリセット釦８２、設定錠８３等の操作により得られた操作検出信号を供給する。
また、電源基板２４は、第２の基板側コネクタ５６２及びハーネス６０２（図７参照）を介してサブ制御基板４０（図４参照）に各種電力を供給する。
【００６３】
また、電源基板２４には、主制御基板２０（図４参照）が生成したホッパ装置制御用のコマンドデータが、ハーネス６０１及び第１の基板側コネクタ５６１を介して供給される。さらに、電源基板２４には、ホッパ装置２１（図４参照）を駆動させる回路が設けられている。電源基板２４は、主制御基板２０（図４参照）から供給されるコマンドデータに基づいて所定の電圧値の駆動電力を所定の期間、基板側コネクタ５６３及びハーネス６０３を（図７参照）介してホッパ装置２１（図４参照）のモータ等に供給し、ホッパ装置２１（図４参照）を駆動してメダルの払い出しを行わせる。
また、ハーネス６０１、６０２、６０３のハーネス側コネクタ６１１、６１２、６１３には、それぞれコネクタカバー７０１、７０２、７０３が取り付けられている。
【００６４】
以下、ハーネス側コネクタ６１３、基板側コネクタ５６３及びその周辺部について詳細に説明する。
図６において、基板側コネクタ５６３は、回路基板としての電源基板２４の一面に固定され、電源基板２４が電源ボックス５１１（図５参照）に収納された状態で、電源基板２４に形成された端子挿入孔５７１−１、５７１−２…５７１−４、５７２−１、５７２−２…５７２−４を介して当該電源基板２４の他面に形成された配線パターンと電気的に接続するとともに、ハーネス６０３の一端に設けられたハーネス側コネクタ６１３と結合して前記ハーネス６０３の個々の配線ケーブル６３５−１、６３５−２…６３５−４、６３６−１、６３６−２…６３６−４と電気的に接続する。
【００６５】
以下、基板側コネクタ５６３について更に詳細に説明する。
基板側コネクタ５６３は、絶縁筐体５７０に、第１のサイズの電極ピン５７３−１、５７３−２…５７３−４と、第２のサイズの電極ピン５７４−１、５７４−２…５７４−４とを植設したものである。
【００６６】
第１のサイズの電極ピン５７３−１、５７３−２…５７３−４は、折曲部５７５によりＬ字状に形成され、当該折曲部５７５より一方の側が前記電源基板２４（図４参照）の板面に対して垂直方向に延出して前記電源基板２４（図４参照）と電気的に接続する基板側直線部５７６になり、前記折曲部５７５より他方の側が前記電源基板２４（図４参照）の板面に対して平行方向に延出するコネクタ側直線部５７７になっている。
【００６７】
第２のサイズの電極ピン５７４−１、５７４−２…５７４−４は、折曲部５７８によりＬ字状に形成され、当該折曲部５７８より一方の側が前記電源基板２４の板面に対して垂直方向に延出して前記電源基板２４（図４参照）と電気的に接続する基板側直線部５７９になり、前記折曲部より他方の側が前記電源基板２４（図４参照）の板面に対して平行方向に延出するコネクタ側直線部５８０になっている。
【００６８】
第２のサイズの電極ピン５７４−１、５７４−２…５７４−４の基板側直線部５７９及びコネクタ側直線部５８０は、それぞれ前記第１のサイズの電極ピン５７３−１、５７３−２…５７３−４の基板側直線部５７６及びコネクタ側直線部５７７より短く形成されている。
【００６９】
絶縁筐体５７０は、合成樹脂等の絶縁性の素材で形成され、前記ハーネス側コネクタ６１３と結合する結合面５８１（図１５参照）を有し、この結合面５８１を電源基板２４の外周方向に向けて配置している。また、絶縁筐体５７０は、当該結合面５８１の反対側に基端面５８２（図１５参照）を有し、当該結合面５８１と当該基端面５８２の間に前記電源基板２４に取り付けられる基板取付面５８３（図１５参照）を有している。基板取付面５８３の反対側は、右側面５８４になっている。
【００７０】
前記結合面５８１には、前記ハーネス側コネクタ６１３の嵌合部６２１が挿入される凹部５８５が形成されている。この凹部５８５は、開口形状が若干横長の四角形になっている。
【００７１】
図１５において、絶縁筐体５７０の前記基端面５８２の右側面５８４寄りには、第１のサイズの電極ピン５７３−１、５７３−２…５７３−４（図６及び図１４参照）のコネクタ側直線部５７７が挿入される貫通孔５８６、５８６…５８６（図１２参照）が形成されている。
【００７２】
絶縁筐体５７０の前記基端面５８２の基板取付面５８３寄りには、第２のサイズの電極ピン５７４−１、５７４−２…５７４−４（図６参照）のコネクタ側直線部５８０が挿入される貫通孔５８７、５８７…５８７（図１２参照）が形成されている。
【００７３】
第１のサイズの電極ピン５７３−１、５７３−２…５７３−４（図６参照）のコネクタ側直線部５７７の先端側及び第２のサイズの電極ピン５７４−１、５７４−２…５７４−４（図６参照）のコネクタ側直線部５８０の先端側は、凹部５８５の底面から上方に向けて立設する。
【００７４】
第１のサイズの電極ピン５７３−１、５７３−２…５７３−４の基板側直線部５７６の先端側は、電源基板２４に形成された端子挿入孔５７１−１、５７１−２…５７１−４（図６参照）に挿入され、配線パターン５８９…に対して半田５９０…により半田付けされ電気的に接続される。
【００７５】
第２のサイズの電極ピン５７４−１、５７４−２…５７４−４の基板側直線部５７９の先端側は、電源基板２４に形成された端子挿入孔５７２−１、５７２−２…５７２−４（図６参照）に挿入され、配線パターン５９１…に対して半田５９２…により半田付けされ電気的に接続される。
【００７６】
図６において、絶縁筐体５７０の凹部５８５の右内側面には二本の溝部５９３（図１２参照）が上下方向に形成されている。絶縁筐体５７０の凹部５８５の左内側面の前辺及び後辺には溝部５９４（図１２参照）が上下方向に形成されている。絶縁筐体５７０の凹部５８５の左内側面における上部前寄り及び上部後寄りには、凹部５９５、５９６が形成されている。
【００７７】
次に、ハーネス側コネクタ６１３について詳細に説明する。
図６において、ハーネス側コネクタ６１３は、ジャック絶縁体６２０と金等の導電性の高い金属で形成された複数のジャック端子６３１−１…、６３２−１…（図１５参照）とを備えている。ジャック絶縁体６２０は、プラスチック等の絶縁性に素材で嵌合部６２１と基部６２２を一体形成したものである。ジャック絶縁体６２０の嵌合部６２１は、基板側コネクタ５６３の凹部５８５に挿入されるようになっている。
【００７８】
嵌合部６２１の先端面には、電極ピン挿入口６４１−１、６４１−２…６４１−４、６４２−１、６４２−２…６４２−４（図１１参照）が設けられている。図１１に示す電極ピン挿入口６４１−１、６４１−２…６４１−４、６４２−１、６４２−２…６４２−４は、図６に示すハーネス側コネクタ６１３と基板側コネクタ５６３が結合する場合に、それぞれ対応する電極ピン５７３−１、５７３−２…５７３−４、５７４−１、５７４−２…５７４−４のコネクタ側直線部５７７、５８０が差し込まれるようになっている。
【００７９】
図１１に示す複数の電極ピン挿入口６４１−１、６４１−２…６４１−４、６４２−１、６４２−２…６４２−４の内部には、図１５に示すジャック端子６３１−１…、６３２−１…が植設されている。図１５において、ジャック端子６３１−１…、６３２−１…は、それぞれ電極ピン挿入口６４１−１…、６４２−１…に挿入された電極ピン５７３−１…、５７４−１…のコネクタ側直線部５７７、５８０と電気的に接続する。また、ジャック端子６３１−１、６３２−１…の基端側は、開口６３３−１…、６３４−１…（図６参照）により外側に露出し、ハーネス６０３の個々の配線ケーブル６３５−１…、６３６−１…と電気的に接続している。ハーネス６０３は、配線ケーブル６３５−１…、６３６−１…を透明の軟性樹脂で形成されたチューブ６３７に挿通したものである。ハーネス６０３は、コネクタカバー７０３に形成された貫通孔７９０（図８乃至図１０参照）を介して外部に延出している。
【００８０】
図６において、ハーネス側コネクタ６１３の左側面の前側及び後側には、基板側コネクタ５６３の溝部５９４に挿入するレール６４１が形成されている。前後のレール６４１の間には、下端側がハーネス側コネクタ６１３本体と連続し、上方が弾性変形により左右に湾曲可能の可動板６４２が設けられている。可動板６４２の上部には、右方向に突出する操作部６４３が一体形成により設けられている。可動板６４２の外側面の中間部には、基板側コネクタ５６３の凹部５９５、５９６にそれぞれ係止する係止爪６４４、６４５が形成されている。
ハーネス側コネクタ６１３の基部６２２の左側面における操作部６４３の前後には、左方向に突出する段部６４６、６４７が形成されている。
【００８１】
図７において、ハーネス側コネクタ６１３の嵌合部６２１の右側面には、基板側コネクタ５６３の溝部５９３（図６参照）に挿入するレール６５１、６５１が形成されるとともに溝部６５２、６５３が形成されている。
溝部６５２、６５３は、嵌合部６２１の下端から基部６２２の中間部まで連通している。
【００８２】
以下、コネクタカバー７０３について詳細に説明する。
図６において、コネクタカバー７０３は、一方及び他方に半体７１１、７１２から構成されている。
【００８３】
半体７１１は、透明で硬質の合成樹脂を素材とし、左側側壁７２１と上側及び前後の板状部７２２、７２３、７２４（図７参照）と、フランジ部７２５、７２６を一体で形成したものである。半体７１１の左側側壁７２１の上辺、前辺及び後辺には、上側及び前後の板状部７２２、７２３、７２４（図７参照）が右方向に延出して形成されている。
【００８４】
前側の板状部７２３の下辺及び左側側壁７２１の下辺の前部にはフランジ部７２５が前方及び左方向に同程度の突出量で突出して形成されている。このフランジ部７２５は、前側の板状部７２３及び左側側壁７２１に対して直交する板状に形成されている。
【００８５】
後側の板状部７２４の下辺及び左側側壁７２１の下辺の後部にはフランジ部７２６が後方及び左方向に同程度の突出量で突出して形成されている。このフランジ部７２５は、後側の板状部７２４及び左側側壁７２１に対して直交する板状に形成されている。
【００８６】
左側側壁７２１の下部には、ハーネス側コネクタ６１３の操作部６４３及び段部６４６、６４７が挿入される切欠部７２７が形成されている。切欠部７２７の下側には、ハーネス側コネクタ６１３の段部６４６、６４７を係止する係止部７２８、７２９が形成されている。
【００８７】
図７において、前側の板状部７２３の内側面の上部及び中間部には、凹部７３１、７３２が形成されている。後側の板状部７２４の内側面の上部及び中間部には、凹部７３３、７３４が形成されている。
【００８８】
前側の板状部７２３の右辺の上部及び中間部には、突起部７３５、７３６が形成されている。後側の板状部７２４の右辺の上部及び中間部には、突起部７３７、７３８が形成されている。
上側の板状部７２２の右辺の中央部には切欠部７４０が形成されている。
切欠部７４０の縁には、上方に向けて突出する凸部７４１が形成されている。
【００８９】
図６において、半体７１２は、透明で硬質の合成樹脂を素材とし、右側側壁７５１と上側及び前後の板状部７５２、７５３、７５４と、フランジ部７５５を一体で形成したものである。半体７１２の右側側壁７５１の上辺、前辺及び後辺には、上側及び前後の板状部７５２、７５３、７５４が左方向に延出して形成されている。
【００９０】
前後の板状部７５３、７５４の下辺及び右側側壁７５１の下辺の前部にはフランジ部７５５が前後及び右方向に同程度の突出量で突出して形成されている。フランジ部７５５は前後の板状部７５３、７５４及び右側側壁７５１に対して直交する板状に形成されている。
【００９１】
右側側壁７５１の内側面には、ハーネス側コネクタ６１３の溝部６５２、６５３（図７参照）に挿入する突起部７５６、７５７が形成されている。右側側壁７５１の内側面の突起部７５６、７５７から所定間隔を置いた上部には、ハーネス側コネクタ６１３の上面の右端に係止する段部７５８が形成されている。
【００９２】
上側の板状部７５２の右辺の中央部には切欠部７６０が形成されている。
切欠部７６０の縁には、上方に向けて突出する凸部７６１が形成されている。
【００９３】
右側側壁７５１の内側面の板状部７５３近傍及び板状部７５４近傍には、半体７１１の凹部７３１、７３２、７３３、７３４（図７参照）に係止する係止爪７７１、７７２、７７３、７７４が突出して形成されている。前側の板状部７５３の内側面の上部及び中間部には、半体７１１の突起部７３５、７３６（図７参照）が挿入される溝部７７５、７７６が形成されている。後側の板状部７５３の右辺の上部及び中間部には、半体７１１の突起部７３７、７３８（図７参照）が挿入される溝部７７７、７７８が形成されている。
【００９４】
以下、半体７１１、７１２をハーネス側コネクタ６１３に取り付け固定する場合について説明する。
図６及び図７に示す半体７１１、７１２をハーネス側コネクタ６１３に取り付け固定する場合、まず作業者は、半体７１１をハーネス側コネクタ６１３の基部６２２の左側に被せ、半体７１１の切欠部７２７にハーネス側コネクタ６１３の操作部６４３及び段部６４６、６４７を挿入する。
【００９５】
次に、作業者は、半体７１２をハーネス側コネクタ６１３の基部６２２の右側に被せ、半体７１１の突起部７３５、７３６、７３７、７３８（図７参照）を半体７１２の溝部７７５、７７６、７７７、７７８（図６参照）に挿入し、ハーネス側コネクタ６１３の溝部６５２、６５３（図７参照）に半体７１２の突起部７５６、７５７（図６参照）を挿入し、ハーネス側コネクタ６１３の上面の左端に半体７１２の段部７５８（図６参照）を係止させ、半体７１１の凹部７３１、７３２、７３３、７３４（図７参照）に半体７１１の係止爪７７１、７７２、７７３、７７４（図６参照）に係止させることでカシメを行いコネクタカバー７０３を組み立てる。これにより、図８乃至図１１に示すように、半体７１１、７１２より成るコネクタカバー７０３はハーネス側コネクタ６１３から取り外せない状態で固定する。この場合、図８に示すハーネス側コネクタ６１３の段部６４６、６４７は係止部７２８、７２９と切り欠き７２７の内周とに間に挟まれ、ハーネス側コネクタ６１３の溝部６５２、６５３の上端（図７参照）とハーネス側コネクタ６１３の上面の間が半体７１２の突起部７５６、７５７（図６参照）と半体７１２の段部７５８（図６参照）の間に挟まれるので、コネクタカバー７０３からハーネス側コネクタ６１３が外れることはない。
【００９６】
図８及び図９に示すように、ハーネス側コネクタ６１３にコネクタカバー７０３を取り付けた状態では、半体７１１の上側の板状部７２２と上側の半体７１２の上側の板状部７５２は、一面の平面部７８０となる。半体７１１の前側の板状部７２３と半体７１２の前側の板状部７５３は、前側の一面の側壁７８１となる。図１０に示すように、半体７１１の後側の板状部７２４と上側の半体７１２の後側の板状部７５４は、後側の一面の側壁７８２となる。図８及び図１０に示すように、上側の板状部７２２の切欠部７４０と上側の板状部７５２の切欠部７６０は、ハーネス６０３が挿通する貫通孔７９０を形成する。図１１に示すように、コネクタカバー７０３の下面には開口７９１が形成される。コネクタカバー７０３は、開口７９１からハーネス側コネクタ６１３の嵌合部６２１を突出させている。
フランジ部７２５、７２６、７５５は前記コネクタカバー７０３における前記開口７９１の外周に形成される。
【００９７】
以下、コネクタカバー７０３を取り付けたハーネス側コネクタ６１３を基板側コネクタ５６３に接続する場合について説明する。
図８に示すコネクタカバー７０３を取り付けたハーネス側コネクタ６１３を図６に示す基板側コネクタ５６３に接続する場合、まず、作業者は、図８に示すコネクタカバー７０３を指で保持し、ハーネス側コネクタ６１３の嵌合部６２１を図６に示す基板側コネクタ５６３の凹部５８５に挿入する。これにより、図８に示すハーネス側コネクタ６１３のレール６４１が図６に示す基板側コネクタ５６３の溝部５９４に挿入し、図９に示すハーネス側コネクタ６１３のレール６５１が図６に示す基板側コネクタ５６３の溝部５９３に挿入し、図８に示す可動板６４２が湾曲して係止爪６４４、６４５が図６に示す凹部５８５、５９６に進入し、凹部５９５、５９６にそれぞれ係止する。これにより、図１３乃至図１５に示すように、ハーネス側コネクタ６１３は基板側コネクタ５６３に接続固定される。
【００９８】
ここで、凹部５８５、５９６に係止爪６４４、６４５が係止した状態では、基板側コネクタ５６３の凹部５８５からハーネス側コネクタ６１３の嵌合部６２１を引き抜けない状態になる。
基板側コネクタ５６３からハーネス側コネクタ６１３を外す場合には、前記操作部６４３を作業者が押圧することで凹部５８５、５９６に対する係止爪６４４、６４５の係止が解除して、基板側コネクタ５６３の凹部５８５からハーネス側コネクタ６１３の嵌合部６２１を引き抜くことができる。
【００９９】
コネクタカバー７０３を取り付けたハーネス側コネクタ６１３を基板側コネクタ５６３に接続した状態では、図１３に示すフランジ部７２５、７２６、７５５は前記電源ボックス５１１のコネクタ露出口５５３の縁に板面で密着する。
【０１００】
尚、第１及び第２のコネクタ用開口部５５１、５５２、第１及び第２の基板側コネクタ５６１、５６２、ハーネス側コネクタ６１１、６１２、コネクタカバー７０１、７０２についても、図６乃至図１５に示したコネクタ用開口部５５３、基板側コネクタ５６３、ハーネス側コネクタ６１３、コネクタカバー７０３と同様の構造を採用している。
このような構造により、電源基板２４は、基板側コネクタ５６１、５６２、５６３と電子部品とを有し、外部へ所定の信号を出力する制御基板になっている。
【０１０１】
電源ボックス５１１は、前記電源基板２４を収容するとともに、前記基板側コネクタ５６１、５６２、５６３を外部に露出させるコネクタ露出口５５１、５５２、５５３が形成された基板ボックスになっている。
【０１０２】
ハーネス６０１、６０２、６０３は、前記電源ボックス５１１の外側に配置された電気部品の主制御基板２０、サブ制御基板４０、ホッパ装置２１に一端が接続する。
ハーネス側コネクタ６１１、６１２、６１３は、先端側に前記基板側コネクタ５６１、５６２、５６３と嵌合する嵌合部６２１を有し、基端側に前記ハーネス６０１、６０２、６０３の他端が接続され、前記基板側コネクタ５６１、５６２、５６３とハーネス６０１、６０２、６０３を電気的に接続する。
【０１０３】
コネクタカバー７０１、７０２、７０３は、ハーネス側コネクタ６１１、６１２、６１３が挿通する貫通孔７９０が形成された平面部７８０と四面の側壁７８１、７８２、７２１、７５１を有して一面が開口し、この開口７９１からハーネス側コネクタ６１１、６１２、６１３の嵌合部６２１を突出させた状態で前記ハーネス側コネクタ６１１、６１２、６１３の基端側を覆うとともに固定する。
【０１０４】
前記ハーネス側コネクタ６１１、６１２、６１３の周囲の一側壁には、前記前記基板側コネクタ５６１、５６２、５６３との接続を解除するための操作部６４３が設けられている。
【０１０５】
前記コネクタカバー７０１、７０２、７０３の四面の一側壁となる左側側壁７２１には、前記ハーネス側コネクタ６１１、６１２、６１３の前記操作部６４３を収容可能な切欠部７２７を設けている。
【０１０６】
前記コネクタカバー７０１、７０２、７０３における前記開口７９１の外周には、板状に形成され、前記ハーネス側コネクタ６１１、６１２、６１３の前記嵌合部６２１が前記基板側コネクタ５６１、５６２、５６３と嵌合した状態で前記電源ボックス５１１のコネクタ露出口５５１、５５２、５５３の縁に板面で密着するフランジ部７２５、７２６、７５５を形成している。
【０１０７】
前記コネクタカバー７０１、７０２、７０３は、前記平面部７８０の貫通孔７９０から前記開口７９１に亘る一対の分割線７９２（図１３参照）に沿って一方及び他方に半体７１１、７１２に分割され、当該一方及び他方の半体７１１、７１２にはカシメにより互いに嵌合するカシメ嵌合部として凹部７３１、７３２、７３３、７３４と係止爪７７１、７７２、７７３、７７４が設けられている。
【０１０８】
図１乃至図１５に示した実施形態のスロットマシン１によれば、前記コネクタカバー７０１、７０２、７０３のフランジ部は、前記ハーネス側コネクタ６１１、６１２、６１３の前記嵌合部６２１が前記基板側コネクタ５６１、５６２、５６３と嵌合した状態で前記電源ボックス５１１の前記コネクタ露出口５５１、５５２、５５３の縁に板面で密着して不正器具のコネクタ露出口５５１、５５２、５５３への進入を防止するので、制御基板としての電源基板２４に対する不正器具を用いた不正行為を防止することができるとともに、前記コネクタカバー７０１、７０２、７０３の切欠部７２７を介して前記ハーネス側コネクタ６１１、６１２、６１３の操作部を操作することで、前記コネクタカバー７０１、７０２、７０３を変形させることなく前記ハーネス側コネクタ６１１、６１２、６１３と前記基板側コネクタ５６１、５６２、５６３との接続を解除することができるので、硬質の素材により形成されたコネクタカバー７０１、７０２、７０３により制御基板への不正アクセスを防止するとともに、ハーネス６０１、６０２、６０３の意図しない引っ張りによるハーネス側コネクタ６１１、６１２、６１３の脱抜を防ぎ、さらに所定の操作によりハーネス側コネクタ６１１、６１２、６１３の脱抜が可能になる。これにより、本実施形態では、メンテナンスの際の作業性を低下させることなく電源基板２４に対する不正アクセスをより効果的に防止でき、不正行為による遊技施設の損失を防止し、遊技施設の経営状態を改善できる。
【０１０９】
また、本実施形態のスロットマシン１によれば、一方及び他方の半体７１１、７１２の間にハーネス側コネクタ６１１、６１２、６１３及びハーネス６０１、６０２、６０３を挟んだ状態で当該一方及び他方の半体７１１、７１２をカシメにより嵌合することでハーネス側コネクタ６１１、６１２、６１３に前記コネクタカバー７０１、７０２、７０３を容易に取り付けることが可能になり、容易に電源基板２４に対する不正アクセスを防止することができる。
【０１１０】
尚、図１乃至図１５に示した実施形態では、ハーネス側コネクタ６１１、６１２、６１３及び基板側コネクタ５６１、５６２、５６３として８ピンのコネクタを用いたスロットマシンに本発明を適用したが、例えば１２ピン等、別のピン数のハーネス側コネクタ及び基板側コネクタを用いたスロットマシンに適用してもよい。また、図１乃至図１５に示した実施形態では、基板側コネクタと電子部品とを有し、外部へ所定の信号を出力する制御基板として電源基板２４を用いたが、他の制御基板、例えば主制御基板２０やサブ制御基板４０を用いることも可能である。
【産業上の利用可能性】
【０１１１】
本発明は、スロットマシンに限らず、メダルを使用するアレンジボール、雀球遊技機等の他の遊技機に応用することができる。
【図面の簡単な説明】
【０１１２】
【図１】図１は、本発明の一実施形態によるスロットマシンの外観構造を表した斜視図である。
【図２】図２は、本発明の一実施形態によるスロットマシンの外観構造を表した斜視図である。
【図３】図３は、本発明の一実施形態によるスロットマシンの内部構造を表した図である。
【図４】図４は、本発明の一実施形態によるスロットマシンの制御システムを表したブロック図である。
【図５】図５は、本発明の一実施形態による電源ユニットの斜視図である。
【図６】図６は、本発明の一実施形態によるハーネス側コネクタ、基板側コネクタ及びその周辺部の左斜め上から見た分解斜視図である。
【図７】図７は、本発明の一実施形態によるコネクタカバー及びハーネス側コネクタの右斜め上から見た分解斜視図である。
【図８】図８は、本発明の一実施形態によるコネクタカバーを取り付けたハーネス側コネクタの左斜め上から見た斜視図である。
【図９】図９は、本発明の一実施形態によるコネクタカバーを取り付けたハーネス側コネクタの右斜め上から見た斜視図である。
【図１０】図１０は、本発明の一実施形態によるコネクタカバーを取り付けたハーネス側コネクタの上面図である。
【図１１】図１１は、本発明の一実施形態によるコネクタカバーを取り付けたハーネス側コネクタの底面図である。
【図１２】図１２は、本発明の一実施形態による基板側コネクタの上面図である。
【図１３】図１３は、本発明の一実施形態によるハーネス側コネクタ、基板側コネクタ及びその周辺部の左斜め上から見た斜視図である。
【図１４】図１４は、本発明の一実施形態によるハーネス側コネクタ、基板側コネクタ及びその周辺部の右側から見た側面図である。
【図１５】図１５は、本発明の一実施形態による図１４に示したハーネス側コネクタ、基板側コネクタ及びその周辺部のＡ−Ａ線断面図である。
【符号の説明】
【０１１３】
１…スロットマシン、２…外装筐体、３…前扉、４…上部パネル部、
５…下部パネル部、６…メダル受皿部、６ａ…メダル受皿、
７…操作卓、８…開口、２０…主制御基板、２１…ホッパ装置、
２２…補助貯留部、２３…電源ユニット、２４…電源基板、
２５…外部集中端子基板、３０…発光駆動部、
３２ａ、３２ｂ…スピーカ、３３…中央表示基板、
３４…メダル選別装置、３４ａ…メダルセンサ、３５…ガイド部材、
３６…ガイド部材、３７…ガイド部材、３８ａ、３８ｂ…スピーカ、
３９…放電灯点灯装置、４０…サブ制御基板、４１…パネル面、
４２…表示窓、４６…演出用照明部、
４８ａ、４８ｂ…演出用放音部、４９…液晶表示装置、
４９ａ…表示窓、５０…パネル板、５１…表示パネル、
６１…メダル払出口、
６２ａ、６２ｂ…左右の演出用放音部、７１…メダル投入部、
７２…メダル投入口、７３、７４…ベットボタン、
７５…スタートレバー、７６ａ、７６ｂ、７６ｃ…ストップボタン、
７７…精算ボタン、７８…鍵穴、８１…電源スイッチ、８２…リセット釦、８３…設定
錠、８４…扉、１００…リールユニット、
１０１ａ、１０１ｂ、１０１ｃ…リール、２００…ＣＰＵ、
２０１…記憶部、２０２…システムプログラム、
２０３…メダルクレジット手段、２０４…入賞抽選テーブル、
２０５…内部抽選フラグ、２０６…乱数発生装置、２１０…演出装置、
２５０、２６０…基板ケース、２５１、２５２…ブラケット部材、
５０１…電源ユニット本体、５０２…ねじりバネ、
５０３…摘み部材、５１１…電源ボックス、５１２…前面部、
５１２…前面部、５１３、５１４…棒状部材、５１５…嵌合穴、
５２１、５２２…フック部、５２３…取付孔、
５３１…円形部、５３２…嵌合部、５４１…鍵穴、５１６…上面部、
５５１、５５２、５５３…コネクタ用開口部、
５５４…通気用スリット、５６１、５６２、５６３…基板側コネクタ、
５７０…絶縁筐体、
５７１−１、５７１−２、５７１−３、５７１−４…端子挿入孔、
５７２−１、５７２−２、５７２−３、５７２−４…端子挿入孔、
５７３−１、５７３−２、５７３−３、５７３−４…電極ピン、
５７４−１、５７４−２、５７４−３、５７４−４…電極ピン、
５７５、５７８…折曲部、５７６、５７９…基板側直線部、
５７７、５８０…コネクタ側直線部、５８１…結合面、
５８２…基端面、５８３…基板取付面、５８４…右側面、
５８５…凹部、５８６、５８７…貫通孔、５８９…配線パターン、
５９０…半田、５９１…配線パターン、５９２…半田、
５９３、５９４…溝部、５９５、５９６…凹部、
６０１、６０２、６０３…ハーネス、
６１１、６１２、６１３…ハーネス側コネクタ、
７０１、７０２、７０３…コネクタカバー、
６２０…ジャック絶縁体、６３１−１、６３２−１…ジャック端子、
６２１…嵌合部、６２２…基部、
６４１−１、６４１−２、６４１−３、６４１−４…電極ピン挿入口、
６４２−１、６４２−２、６４２−３、６４２−４…電極ピン挿入口、
６３１−１、６３２−１…ジャック端子、
６３３−１、６３３−１…開口、
６３５−１、６３６−１…配線ケーブル、６３７…チューブ、
７９０…貫通孔、６４１…レール、６４２…可動板、６４３…操作部、
６４４、６４５…係止爪、６４６、６４７…段部、
６５１、６５１…レール、６５２、６５３…溝部、
７１１、７１２…半体、７２１…左側側壁、
７２２、７２３、７２４…板状部、７２５、７２６…フランジ部、
７２７…切欠部、７２８、７２９…係止部、７３１、７３２…凹部、
７３３、７３４…凹部、７３５、７３６、７３７、７３８…突起部、
７４０…切欠部、７４１…凸部、７５１…右側側壁、
７５２、７５３、７５４…板状部、７５５…フランジ部、
７５６、７５７…突起部、７５８…段部、７６０…切欠部、
７６１…凸部、７７１、７７２、７７３、７７４…係止爪、
７７５、７７６、７７７、７７８…溝部、７８０…平面部、
７８１、７８２…側壁、７９０…貫通孔、７９１…開口、
７９２…分割線
【図１】
2008229168.tif 000003
【図２】
2008229168.tif 000004
【図３】
2008229168.tif 000005
【図４】
2008229168.tif 000006
【図５】
2008229168.tif 000007
【図６】
2008229168.tif 000008
【図７】
2008229168.tif 000009
【図８】
2008229168.tif 000010
【図９】
2008229168.tif 000011
【図１０】
2008229168.tif 000012
【図１１】
2008229168.tif 000013
【図１２】
2008229168.tif 000014
【図１３】
2008229168.tif 000015
【図１４】
2008229168.tif 000016
【図１５】
2008229168.tif 000017